(57)【特許請求の範囲】
【請求項１】
前面の開口部を扉で開閉自在とするとともに左右側面に凸部を有する洗浄槽と、前記洗浄槽内に配置した食器かごとを備え、前記凸部を挟み込む前部摺動部材が前記食器かごの側面の前部に設けられ、前記凸部の上に載る後部摺動部材が前記食器かごの側面の後部に設けられ、前記扉の開放時に前記扉の上面を前後方向に摺動する摺動部が前記前部摺動部材に形成され、前記食器かごは、前記洗浄槽内に収容された状態では前記前部摺動部材が前記凸部を挟み込むとともに前記後部摺動部材が前記凸部の上に載っており、前記扉の上面に一部引き出された状態では前記前部摺動部材は前記凸部を挟み込んでいないとともに前記後部摺動部材が前記凸部の上に載っている食器洗い機。
【発明の詳細な説明】
【０００１】
【発明の属する技術分野】
本発明は、手前に引き倒す扉を有する食器洗い機に関するものである。
【０００２】
【従来の技術】
従来、この種の食器洗い機は図６〜図８に示すように構成していた。以下、その構成について説明する。
【０００３】
図６に示すように、洗浄槽１は前方に開口部２を有し、この開口部２を扉３により開閉するとともに、内部に洗浄水を噴射する洗浄ノズル４を回転自在に設けており、洗浄槽１内に食器類５を収容する食器かご６を配置している。洗浄槽１は台枠７にて支持している。
【０００４】
洗浄槽１内の洗浄水はヒータ８によって温水化され、洗浄ポンプ９にて排水口１０に備えた残滓フィルタ１１から吸い込まれ、洗浄ノズル４に圧送されて食器類５に向けて噴出し、循環することにより洗浄される。洗浄行程が終了すると、洗浄槽１の下部に設けた排水ポンプ１２によって機外に洗浄水が排水される。給水弁１３はこれを開閉することにより洗浄槽１への洗浄水の供給を入り切りできるものである。
【０００５】
食器かご６には、図７および図８に示すように、側面後方に洗浄槽１の左右側面に設けた凸部１ａを上下からはさみ込むように構成した後部摺動部材６ａを設け、また、側面前方には扉３の上面を摺動する前部摺動部材６ｂを設け、扉３を開けた状態で、後部摺動部材６ａが洗浄槽１の左右側面に設けた凸部１ａ上を摺動し、前部摺動部材６ｂが扉３の上面を摺動して、食器かご６を手前に引き出し可能となっている。
【０００６】
また、食器かご６を押し込んだ状態にて、食器かご６の前端に下向きに大きな荷重が加えられた場合においても、後部摺動部材６ａの下部が洗浄槽１の左右側面に設けた凸部１ａに当たるため、食器かご６が前部摺動部材６ｂを支点に回転し、危険な状態にならない構成となっている。
【０００７】
使用者は、扉３を手前に引き倒して開け、食器かご６を引き出し、洗浄すべき食器類５を食器かご６に配置する。すべての食器類５を配置し終わると、食器かご６を洗浄槽１内に押し入れて扉３を閉じ、スタートスイッチ（図示せず）を押して、洗浄行程を開始する。
【０００８】
【発明が解決しようとする課題】
このような従来の食器洗い機では、使用者が食器かご６を洗浄槽１内に押し込まずに引き出した状態のまま扉３を閉めようとすると、食器かご６の側面後方に設けている後部摺動部材６ａが洗浄槽１の左右側面に設けた凸部１ａを挟んでいるため、後部摺動部材６ａおよび食器かご６に大きな力が加わり、破損の原因となっていた。
【０００９】
また、従来の別の食器洗い機では、食器かご６の側面後方に設けられる後部摺動部材６ａが洗浄槽１の左右側面に設けた凸部１ａを挟まず、上面に載る構成のものがあるが、この構成では、食器かご６を押し込んだ状態にて、食器かご６の前端に下向きに大きな荷重が加えられた場合、食器かご６が前方に回転し、危険な状態になるという問題があった。
【００１０】
本発明は上記従来の課題を解決するもので、食器かごを押し込んだ状態で、食器かごの前端に下向きの荷重が加えられたとき、食器かごが前方に回転し易いという構成をとることなしに、使用者が起こし易い誤操作により簡単に破損しない食器洗い機を提供することを目的としている。
【００１１】
【課題を解決するための手段】
本発明は上記目的を達成するために、前面の開口部を扉で開閉自在とするとともに左右側面に凸部を有する洗浄槽と、洗浄槽内に配置した食器かごとを備え、凸部を挟み込む前部摺動部材が食器かごの側面の前部に設けられ、凸部の上に載る後部摺動部材が食器かごの側面の後部に設けられ、扉の開放時に扉の上面を前後方向に摺動する摺動部が前部摺動部材に形成され、食器かごは、洗浄槽内に収容された状態では前部摺動部材が凸部を挟み込むとともに後部摺動部材が凸部の上に載っており、扉の上面に一部引き出された状態では前部摺動部材は凸部を挟み込んでいないとともに後部摺動部材が凸部の上に載っているものである。
【００１２】
これにより、食器かごを押し込んだ状態で、食器かごの前端に下向きの荷重が加えられたとき、食器かごが前方に回転し易いという構成をとることなしに、使用者が起こし易い誤操作により簡単に破損しない食器洗い機を提供することができる。
【００１３】
【発明の実施の形態】
本発明の請求項１に記載の発明は、前面の開口部を扉で開閉自在とするとともに左右側面に凸部を有する洗浄槽と、洗浄槽内に配置した食器かごとを備え、凸部を挟み込む前部摺動部材が食器かごの側面の前部に設けられ、凸部の上に載る後部摺動部材が食器かごの
側面の後部に設けられ、扉の開放時に扉の上面を前後方向に摺動する摺動部が前部摺動部材に形成され、食器かごは、洗浄槽内に収容された状態では前部摺動部材が凸部を挟み込むとともに後部摺動部材が凸部の上に載っており、扉の上面に一部引き出された状態では前部摺動部材は凸部を挟み込んでいないとともに後部摺動部材が凸部の上に載っているものであり、食器かごを押し込んだ状態で、食器かごの前端に下向きの荷重が加えられたとき、食器かごが前方に回転し易くなることなしに、使用者が起こし易い誤操作により簡単に破損しない食器洗い機を提供することができる。
【００１４】
【実施例】
以下、本発明の一実施例について、図面を参照しながら説明する。なお、従来例と同じ構成のものは同一符号を付して説明を省略する。
【００１５】
図１〜図４に示すように、後部摺動部材（摺動部材）６ｃは、食器かご６の側面の後方に、洗浄槽１の左右側面に設けた凸部１ａの上に載るように設け、洗浄槽１内を前後方向に摺動可能としている。前部摺動部材（摺動部材）６ｄは、食器かご６の側面の前方に設け、扉３の開放時に扉３の上方を前後方向に摺動可能な摺動部６ｅを有し、食器かご６が洗浄槽１内に収容された状態の位置では洗浄槽１の左右側面に設けた凸部１ａを上下からはさみ込む構成としている。他の構成は従来例と同じである。
【００１６】
上記構成において作用を説明すると、図５に示すように、使用者が食器かご６を引き出した状態のままで扉３を閉めようとしても、後部摺動部材６ｃは洗浄槽１の左右側面に設けた凸部１ａの上に載っており、前部摺動部材６ｄは洗浄槽１の左右側面に設けた凸部１ａを上下からはさみ込んでいないので、食器かご６は上に持ち上げられるだけで、洗浄槽１の左右側面に設けた凸部１ａに引っ掛かることもなく、食器かご６や食器かご６に設けた後部摺動部材６ｃ、前部摺動部材６ｄが破損するようなことはない。
【００１７】
また、食器かご６が洗浄槽１内に収容された状態の位置では、食器かご６の前方に設けた前部摺動部材６ｄが洗浄槽１の左右側面に設けた凸部１ａを上下からはさみ込んでいるため、食器かご６の前端に下向きの荷重が加えられても、食器かご６が前方に回転することはなく、危険な状態にはならない。
【００１８】
【発明の効果】
以上のように本発明の請求項１に記載の発明によれば、食器かごを押し込んだ状態で、食器かごの前端に下向きの荷重が加えられたとき、食器かごが前方に回転し易くなることなしに、食器かごを引き出したまま扉を閉めるという使用者が起こし易い誤操作により簡単に破損しない食器洗い機を提供することができる。
【図面の簡単な説明】
【図１】  本発明の一実施例の食器洗い機の断面図
【図２】  同食器洗い機の食器かごを引き出した状態の一部切欠した断面図
【図３】  同食器洗い機の後部摺動部材の拡大斜視図
【図４】  同食器洗い機の前部摺動部材の拡大斜視図
【図５】  同食器洗い機の食器かごを引き出して扉を閉めようとした状態の一部切欠した断面図
【図６】  従来の食器洗い機の断面図
【図７】  同食器洗い機の食器かごを引き出した状態の一部切欠した断面図
【図８】  同食器洗い機の後部摺動部材の拡大斜視図
【符号の説明】
１  洗浄槽
１ａ  凸部
２  開口部
３  扉
６  食器かご
６ｃ  後部摺動部材（摺動部材）
６ｄ  前部摺動部材（摺動部材）
６ｅ  摺動部
【図１】
0004470340.tif 000002
【図２】
0004470340.tif 000003
【図３】
0004470340.tif 000004
【図４】
0004470340.tif 000005
【図５】
0004470340.tif 000006
【図６】
0004470340.tif 000007
【図７】
0004470340.tif 000008
【図８】
0004470340.tif 000009